【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
非常用母線と接続する蓄電池エネルギー貯蓄システムを提供し、オンライン監視システムによって前記蓄電池エネルギー貯蓄システムに対して監視を行うことと、
原子力発電所の電力使用設備が電力を失う場合、前記オンライン監視システムによって前記蓄電池エネルギー貯蓄システムを起動させ、非常用母線によって原子力発電所の電力使用設備へ電力を供給することとを含むことを特徴とする原子力発電所へ非常用電源を供給するための方法。
【請求項２】
前記オンライン監視システムが蓄電池エネルギー貯蓄システムに対して監視を行うことは、オンライン監視システムが蓄電池エネルギー貯蓄システムにおける電池の性能パラメーターを採集し、蓄電池エネルギー貯蓄システムの総容量を算出することを含み、
原子力発電所の電力使用設備が電力を失う場合、前記オンライン監視システムが蓄電池エネルギー貯蓄システムを起動させ、原子力発電所の電力使用設備へ電力を供給することは、原子力発電所の運転状況を監視・測定し、原子力発電所の運転状況に基づいて原子力発電所の現時点の運転状況における負荷容量を算出し、原子力発電所の電力使用設備が電力を失った時、蓄電池エネルギー貯蓄システムを起動させ、蓄電池エネルギー貯蓄システムの総容量及び原子力発電所の現時点の運転状況における負荷容量に基づいて、非常用母線により原子力発電所の電力使用設備へ電力を供給することを含むことを特徴とする請求項１に記載の方法。
【請求項３】
前記蓄電池エネルギー貯蓄システムは、並列に接続されている複数のエネルギー貯蓄システムモジュールを含み、エネルギー貯蓄システムモジュールは、合流母線を介して非常用母線に接続され、前記エネルギー貯蓄システムモジュールは、電流変換設備と電池アレイとを含み、電流変換設備によって電池アレイを合流母線に接続し、前記エネルギー貯蓄システムモジュールと合流母線との間には、第一のスイッチ制御手段を設置し、オンライン監視システムは、前記第一のスイッチ制御手段を制御することによって、原子力発電所の現時点の運転状況における負荷容量に基づいて、前記エネルギー貯蓄システムモジュールの運転投入を制御することを特徴とする請求項２に記載の方法。
【請求項４】
前記電池アレイは、複数の電池モジュールを含み、前記複数の電池モジュールは、前記電流変換設備に並列に接続され、前記電池モジュールは、複数の単体電池を直列又は／及び並列に接続することによって構成され、前記電池モジュールと電流変換設備の間に第２のスイッチ制御手段を設置し、オンライン監視システムは、蓄電池エネルギー貯蓄システムにおける電池の性能パラメーターに基づいて、電池モジュールに故障があるかどうかを判定し、第２のスイッチ制御手段を制御することによって故障のある電池モジュールを隔離し、代替用電池モジュールを運転投入することを特徴とする請求項３に記載の方法。
【請求項５】
電池の検査又はメンテナンスを行う時、別個のエネルギー貯蓄システムモジュールに対して充電を行うよう、一つのエネルギー貯蓄システムモジュールを制御することを特徴とする請求項３に記載の方法。
【請求項６】
オンライン監視システムが原子力発電所の現時点の運転状況における負荷容量に基づいて、エネルギー貯蓄システムモジュールの運転投入を制御することは、
蓄電池エネルギー貯蓄システムの第１のエネルギー貯蓄システムモジュールを運転投入することと、
蓄電池エネルギー貯蓄システムの第２のエネルギー貯蓄システムモジュールを運転投入し、しかも蓄電池エネルギー貯蓄システムのエネルギー貯蓄システムモジュールのすべての運転投入が完了するまで又は蓄電池エネルギー貯蓄システムが電力供給要求を満たすまでに、繰り返し実行を行うこととを含むことを特徴とする請求項３に記載の方法。
【請求項７】
原子力発電所の電力使用設備へ非常用電源を供給するのに用いられる原子力発電所へ非常用電源を供給するためのシステムであって、
蓄電池エネルギー貯蓄システムと、それに電気的に接続するオンライン監視システムとを含み、前記蓄電池エネルギー貯蓄システムは、非常用母線により原子力発電所の電力使用設備に接続し、
前記オンライン監視システムは、蓄電池エネルギー貯蓄システムにおける電池の性能パラメーターを採集し、蓄電池エネルギー貯蓄システムの総容量を算出し、原子力発電所の運転状況を監視・測定し、原子力発電所の運転状況に基づいて原子力発電所の現時点の運転状況における負荷容量を算出し、原子力発電所の電力使用設備が電力を失った時、蓄電池エネルギー貯蓄システムを起動させ、蓄電池エネルギー貯蓄システムの総容量及び原子力発電所の現時点の運転状況における負荷容量に基づいて、非常用母線により原子力発電所の電力使用設備へ電力を供給することを特徴とする原子力発電所へ非常用電源を供給するためのシステム。
【請求項８】
前記蓄電池エネルギー貯蓄システムは、複数のエネルギー貯蓄システムモジュールを含み、前記複数のエネルギー貯蓄システムモジュールは、合流母線に並列に接続され、前記エネルギー貯蓄システムモジュールは、電流変換設備と電池アレイとを含み、前記電流変換設備は、前記合流母線に接続され、前記電池アレイは、前記電流変換設備に接続され、前記電池アレイは、直流母線と、電池モジュールとを含み、前記電池モジュールは、前記直流母線に並列に接続され、前記直流母線は、前記電流変換設備に接続され、前記電池モジュールは、複数の単体電池を直列又は／及び並列に接続することによって構成され、前記電池モジュールと電流変換設備の間に第２のスイッチ制御手段を設置し、オンライン監視システムにより制御され、前記エネルギー貯蓄システムモジュールと合流母線との間には、第一のスイッチ制御手段を設置し、オンライン監視システムにより制御されることを特徴とする請求項７に記載のシステム。
【請求項９】
前記エネルギー貯蓄システムモジュールは、各電池モジュールの状態をリアルタイムに監視・測定可能な電池モジュール監視器を含み、前記電池モジュールは、複数の電池パッケージを直列または/及び並列に接続してなり、前記電池パッケージは、複数の単体電池を直列に接続することによって構成され、各単体電池は、行または列をなして配列し、各単体電池の間には、フレキシブルパッド又は縦方向に設けられている少なくとも２つのフレキシブル棒が設置され、かつ各隣り合う単体電池の陽極、陰極端子の間は、フレキシブルに電気的に接続され、前記単体電池には、温度採集素子及び電圧採取素子が内蔵され、採集された単体電池の温度及び電圧情報を所属する電池パッケージの信号合流モジュールに送信するために用いられ、前記信号合流モジュールは、データ伝送線により電池モジュール監視器と接続することを特徴とする請求項８に記載のシステム。
【請求項１０】
複数の前記電池パッケージは、電池ボックス又は電池ケースの中に固定され、前記電池ボックス又は電池ケースの中には、平行する複数の仕切り板が設置されることによって、複数の電池パッケージを収容可能な電池室が形成され、前記信号合流モジュールは、電池室の中に設置され、電池ボックス又は電池ケース側には、配線室が縦方向に設置され、前記電池モジュール監視器は、ボックス本体又はケース本体に設置され、前記電池パッケージは、ケースの中に設置された後、前記電池室の中に取り付けられ、前記ケースの内壁には、前記電池パッケージの外側とフレキシブルに接触する弾力性部材が設置され、前記ケースには、ケースの中の単体電池をしっかりと押さえ付けて固定するエンドカバーが更に設置されていることを特徴とする請求項９に記載のシステム。
【請求項１１】
複数の前記電池パッケージは、電池ボックス又は電池ケースの中に固定され、前記電池ボックス又は電池ケースの中には、平行する複数の仕切り板が設置されることによって、複数の電池パッケージを収容可能な電池室が形成され、前記信号合流モジュールは、電池室の中に設置され、電池ボックス又は電池ケース側には、配線室が縦方向に設置され、前記電池モジュール監視器は、ボックス本体又はケース本体に設置され、前記単体電池が配列された後の電池パッケージは、一端に開口を有する電池籠に設けられた後、前記電池室に取り付けられ、前記電池籠には、前記電池パッケージの外側とフレキシブルに接触する弾力性部材が設置され、電池籠に配列される単体電池をしっかりと引き締める固定棒を接続するために、前記電池籠には、第２の接続部材が設置されていることを特徴とする請求項９に記載のシステム。
【請求項１２】
前記原子力発電所へ非常用電源を供給するためのシステムは、防水、耐震で且つ温度調節可能な収納装置の中に置かれ、前記収納装置は、基台に設置され、耐震可能で且つ前記基台に固定される収納チャンバーケースを含み、前記収納チャンバーケースの中には、電池ボックス又は電池ケース、電流変換設備と監視及び制御設備が収容可能なキャビティを有し、前記電流変換設備と監視及び制御設備の保存位置は、電池ボックス又は電池ケースの保存位置より高く、前記電池ボックス又は電池ケースを安置するためのキャビティの中には、前記電池ボックス又は電池ケースを取り付ける及び固定することができる複数の受台を有し、各受台は、すべて当該キャビティの地面より高いことを特徴とする請求項１０又は１１に記載のシステム。
【請求項１３】
前記電池ボックス又は電池ケースを安置するキャビティの底面には、溜池が設置され、その穴の中には、水たまりを前記収納チャンバーケースの外に抜き取る排水設備が設置され、前記電池ボックス又は電池ケースを安置するためのキャビティの頂面には、複数の火災時に噴水可能なノズルが設置され、各ノズルは、溜池と連通可能な導水パイプに設置され、当該導水パイプは、同時に収納チャンバーケースの外に設置される水タンクと連通し、前記導水パイプには、抽水ポンプと制御弁とが更に設置されていることを特徴とする請求項１２に記載のシステム。